(57)【要約】【課題】従来技術の問題を解消するよう、ＨＤＩＭデバイスが接続されたことを検出可能な装置等を提供する【解決手段】実施形態において、ＨＤＭＩ接続インターフェースは、ＨＤＭＩデバイスが装置に接続されているかどうかを決定するＨＤＭＩデバイスのためのピンでのパワーサイクリング又は別の断続的な供給を用いる接続検出回路を設けられる。【選択図】図３
2011239386.tif 000002
【特許請求の範囲】
【請求項１】
接続されるＨＤＭＩデバイスを検出し、デバイスが接続されているかどうかを決定するようコネクタへ断続的な供給を与える回路
を有する装置。
【請求項２】
前記断続的な供給は、制御可能なデューティサイクルを有する電圧パルスである、
請求項１に記載の装置。
【請求項３】
前記制御可能なデューティサイクルは、２０％よりも小さい、
請求項２に記載の装置。
【請求項４】
前記回路は、前記デューティサイクルを設定する１又はそれ以上のビットを有するプログラム可能なレジスタを有する、
請求項２に記載の装置。
【請求項５】
前記断続的な供給は、オン時には５ボルトＤＣ供給である、
請求項１に記載の装置。
【請求項６】
前記回路は、ＨＤＭＩデバイスが接続されていると決定される場合に、前記断続的な供給を定常ＤＣ供給であるよう制御する、
請求項１に記載の装置。
【請求項７】
前記回路は、前記ＤＣ供給から流れる電流をモニタする過電流回路を有する、
請求項５に記載の装置。
【請求項８】
前記ＤＣ供給は、過電流が検出される場合に、前記ＨＤＭＩデバイスから外される、
請求項６に記載の装置。
【請求項９】
前記回路は、前記断続的な供給を与える電力スイッチを有する、
請求項１に記載の装置。
【請求項１０】
前記スイッチは、前記ＨＤＭＩデバイスが検出される場合に、オンにラッチされる、
請求項８に記載の装置。
【請求項１１】
装置内で外部のＨＤＭＩデバイスの第１ピンに結合される供給ノードと、
ＤＣ供給パルスを前記供給ノードに与える電源と、
前記外部のＨＤＭＩデバイスが前記装置に接続される場合に、前記外部のＨＤＭＩデバイスの第２ピンからのパルスを読み取る検出回路と
を有する回路。
【請求項１２】
前記ＤＣ供給パルスは、プログラム可能なオン及びオフ時間を有する、
請求項１１に記載の回路。
【請求項１３】
前記検出回路は、前記第２ピンでの電圧を閾レベルと比較する比較器を有する、
請求項１１に記載の回路。
【請求項１４】
前記ＤＣ供給パルスを前記供給ノードに与えるスイッチを有する、
請求項１１に記載の回路。
【請求項１５】
前記検出回路は、前記ＨＤＭＩデバイスが接続される場合に、ＤＣ供給を与えるよう前記供給ノードをラッチする、
請求項１４に記載の回路。
【請求項１６】
持ち運び可能な電子装置であって、
第１ピン及び第２ピンを有するＨＤＭＩデバイスであって、前記第１ピンは、当該電子装置に接続される場合に前記ＨＤＭＩデバイスに断続的なホットピン検出（ＨＰＤ）信号を与え、前記第２ピンは、前記ＨＤＭＩデバイスが当該電子装置に接続される場合に前記ＨＤＭＩデバイスから少なくとも前記ＨＰＤ信号のフォームを受信する前記ＨＤＭＩデバイスと、
前記第２ピンに結合され、前記ＨＰＤ信号のフォームを読み取って、前記ＨＤＭＩデバイスが当該電子装置に接続されていると検出される場合は、前記断続的なＨＰＤ信号をＤＣ供給と交換する接続検出回路と
を有する電子装置。
【請求項１７】
前記断続的なＨＰＤ信号は、プログラム可能なオン及びオフ時間を有するＤＣパルスである、
請求項１６に記載の電子装置。
【請求項１８】
前記第１ピンに与えられる電流をモニタする過電流回路を有する、
請求項１６に記載の電子装置。
【請求項１９】
前記接続検出回路は、前記ＨＤＭＩデバイスが接続されていると決定される場合に、コントローラへの割込を生成するラッチを有する、
請求項１６に記載の電子装置。
【請求項２０】
前記ＨＤＭＩデバイスはモニタである、
請求項１６に記載の電子装置。
【発明の詳細な説明】
【技術分野】
【０００１】
本発明は、概して、ＨＤＭＩ接続を検出する方法及び装置に関する。
【背景技術】
【０００２】
ＨＤＭＩ（High-Definition  Multimedia  Interface）（高精細度マルチメディアインターフェース）は、圧縮されていないデジタルデータを送信する小型のオーディオ／ビデオインターフェースである。モニタ及びテレビ受像機等の今日の表示デバイスは、通常、付随する装置からのビデオコンテンツを表示するためにＨＤＭＩ接続／インターフェースを備えている。装置、例えば、ノートブック型コンピュータ、セットトップボックス、又はスマートフォン等の上流デバイスは、それ自体の表示部を有しても、又は有さなくてもよく、より大きなサイズの又はより高品質の表示を有するモニタ等のＨＤＭＩデバイス上にそれらのビデオコンテンツを転送又は表示するためにＨＤＭＩ接続を使用してよい。
【０００３】
図１は、全体として、装置が下流のＨＤＭＩデバイスに接続されているかどうかを検出するＨＤＭＩ接続ステータス機能を有する装置１０５を示す。装置１０５は、ＨＤＭＩケーブル１０４を介するＨＤＭＩデバイス１０２への接続のためのＨＤＭＩポート１０６を有する。装置１０５は、更に、５ボルト電源１０７と、接続検出回路１０８とを有する。現在のＨＤＭＩ使用によれば、上流の装置（例えば、装置１５０）は、接続される下流のデバイスへＤＣ供給（例えば、５ボルト供給）を与えるとともに、該供給からデバイスへの接続を検出することができる。デバイスが接続される場合に、ＤＣ供給は、デバイス１０２内の抵抗（図示せず。）を経由して装置１０５へ返される。
【０００４】
有効なＨＤＭＩ接続の確立の前に、上流の装置は、下流のデバイス１０２が上流の装置と結合された（例えば、プラグ接続された）ことを検出する必要がある。これは、接続検出ブロック１０８に設けられているＨＤＭＩコネクタにおけるホットプラグ検出（Hot-Plug-Detect）（ＨＰＤ）ピンを介して行われる。このようにして、上流の装置１０５は、ＨＰＤピンが検出される前に５ボルト供給をＨＤＭＩケーブルに供給する。従来の構成の多くにおいて、このことは、１又はそれ以上の様々な問題をもたらしうる。例えば、装置のためのＨＤＭＩコネクタ（又はケーブル）は外部環境に晒されることがあるので、ピンが何らかの外部メカニズム（例えば、５ボルト供給を接地に短絡する不良ケーブル等）を介して短絡される場合に、安全上の問題が関わってくる。加えて、接続を待っている間５ボルト供給を使用可能なままにすることは、特に、装置がスマートフォンやタブレット等のポータブルデバイスである場合に、余分の電力を浪費することとなる。
【発明の概要】
【発明が解決しようとする課題】
【０００５】
従って、本願で開示される種々の実施形態では、上述した従来の及び他の問題のいずれか又はそれらの複合について取り組む。
【０００６】
然るに、本発明は、従来技術の問題を解消するよう、ＨＤＩＭデバイスが接続されたことを検出可能な装置等を提供することを目的とする。
【課題を解決するための手段】
【０００７】
本発明の実施形態は、
接続されるＨＤＭＩデバイスを検出し、デバイスが接続されているかどうかを決定するようコネクタへ断続的な供給を与える回路
を有する装置を提供する。
【０００８】
また、本発明の他の実施形態は、
装置内で外部のＨＤＭＩデバイスの第１ピンに結合される供給ノードと、
ＤＣ供給パルスを前記供給ノードに与える電源と、
前記外部のＨＤＭＩデバイスが前記装置に接続される場合に、前記外部のＨＤＭＩデバイスの第２ピンからのパルスを読み取る検出回路と
を有する回路を提供する。
【０００９】
また、本発明の更なる他の実施形態は、
持ち運び可能な電子装置であって、
第１ピン及び第２ピンを有するＨＤＭＩデバイスであって、前記第１ピンは、当該電子装置に接続される場合に前記ＨＤＭＩデバイスに断続的なホットピン検出（ＨＰＤ）信号を与え、前記第２ピンは、前記ＨＤＭＩデバイスが当該電子装置に接続される場合に前記ＨＤＭＩデバイスから少なくとも前記ＨＰＤ信号のフォームを受信する前記ＨＤＭＩデバイスと、
前記第２ピンに結合され、前記ＨＰＤ信号のフォームを読み取って、前記ＨＤＭＩデバイスが当該電子装置に接続されていると検出される場合は、前記断続的なＨＰＤ信号をＤＣ供給と交換する接続検出回路と
を有する電子装置を提供する。
【発明の効果】
【００１０】
本発明の実施形態によれば、従来技術の問題を解消しながら、ＨＤＩＭデバイスが接続されたことを検出可能な装置等を提供することが可能となる。
【図面の簡単な説明】
【００１１】
【図１】従来のＨＤＭＩ接続ステータス・スキームの図である。
【図２】実施形態に従うＨＤＭＩ接続ステータス・アプローチの図である。
【図３】実施形態に従う図２のＨＤＭＩ接続ステータス回路の概略図である。
【図４】更なる実施形態に従う図２のＨＤＭＩ接続ステータス回路の概略図である。
【発明を実施するための形態】
【００１２】
本発明の実施形態について、限定ではない例として、添付の図面を参照して説明する。図面において、同じ参照符号は同じ要素を表す。
【００１３】
図２は、実施形態に従う接続検出を有する上流の装置２０５を示す図である。装置２０５は、図示されているように接続される接続電源（５ボルト）２０７、接続検出回路２０８及び制御ユニット２１０を有する。幾つかの実施形態において、装置２０５は、過剰な電流が引き込まれていないことを確かにするよう、デバイスが接続される場合に、電源からの電流をモニタする電流検知（Ｉ＿Ｓｅｎｓｅ）機能を有してよい。
【００１４】
幾つかの実施形態において、接続検出スキームが提供され、それにより、接続電源２０７は、ホットピン供給（ＨＰＳ）ピンを介してデバイス１０２へ断続的に供給されてよい（例えば、電源は、パルス又はパワーサイクリング（power  cycling）の形で、あるいは、非周期の断続的な方法で、供給される。）。（語「ピン」は、ピン、接触、ノード等を含むことに留意されたい。）例えば、小さいデューティサイクル（例えば、オン時間がオフ時間よりも短いデューティサイクル）が、ＨＰＳピンへ供給されるために使用されてよい。オン時間の間、電源はデバイス１０２に供給されてよく、接続検出回路２０８は、ホットピン検出（ＨＰＤ）ピンにより返される適切な信号をチェックするよう使用可能にされてよい。例えば、オン時間は約５ミリ秒に設定されてよく、オフ時間は約１０００ミリ秒に設定されてよい。
【００１５】
オン時間の間、制御ユニット２１０は、電源が、（例えば、スイッチにより、又はレギュレータを作動させることによって、）ＨＰＳピンに結合されるＨＤＭＩデバイスの電源入力部に供給されることを可能にする。次いで、装置のためのＨＰＤピンは、デバイスが接続される場合に、十分なレベル（例えば、最大で５ボルトまで）にプルアップされてよく、それにより、接続検出回路２０８が有意なＨＰＤレベルを読み取って、デバイス１０２が接続されていることを示すことを可能にする。他方で、オフ時間の間、電源、及び、幾つかの実施形態では、接続検出回路は、例えば、電力を節約するよう、非アクティブにされてよい。
【００１６】
図３は、実施形態に従ってより詳細に図示された接続検出回路を有する装置の例を示す。装置３０５は、自身のＨＤＭＩポート３０６によりＨＤＭＩケーブル３０４を経由してＨＤＭＩデバイス３０２に結合されているように示される。ポート３０６は、ケーブル３０４における対応するピンへ、そして、ＨＤＭＩデバイス３０２へ結合される第１ピン（ＨＰＳ）及び第２ピン（ＨＰＤ）を有する（通常、リンクは、簡潔さのために図示されてない付加的なピンを含む。）。
【００１７】
装置３０５は、一般に、キャパシタＣ１及びＣ２と、パワーＭＯＳスイッチ（ＰＭＯＳ）Ｐ１と、過電流モニタ部３１０と、ステップアップ・コンバータ３２０と、バッテリ３２５と、関連する制御ロジック３３２〜３３８を有するシステム管理コントローラ（ＳＭＣ）３３０と、割込回路３４０と、接続検出回路３５０とを有する。コントローラ（本例では、制御ユニット又はＳＭＣコントローラ）３３０は、制御ロジック３３２〜３３８により、下流のＨＤＭＩデバイス３０２へ５ボルト供給を与えるよう電力スイッチＰ１を制御する。本例では、５ボルト供給は、バッテリ供給３２５からステップアップ・コンバータ３２０によって生成される（例えば、３．０〜４．２ボルト出力電圧）。
【００１８】
電流モニタリング回路３１０は、比較器３１１と、電圧降下電源Ｂ１と、論理ゲート３１３、３１８及び３１９とを有する。電圧降下電源Ｂ１は、例えば、比較器３１１の非反転入力部とパワーＭＯＳスイッチＰ１との間に結合される抵抗を通って、電流を引っ張る電流源を有して実施されてよい。電力スイッチＰ１は、オンされる場合に、適切に一貫しており且つ知られている抵抗降下を有する。従って、十分な電流（すなわち、スイッチにおける降下がＢ１降下を超えるほど十分な電流）が電力スイッチＰ１を通って流れる場合に、反転入力は非反転入力よりも高くなり、比較器はデアサート（de-assert）する（本例では、ロー（Low）を出力する）。他方で、電力スイッチＰ１を通る電流が過度でない場合は、ハイ（High）が比較器３１１から供給される。
【００１９】
実施形態において、電流モニタリングは、利用されるＤＣ−ＤＣコンバータ内で「Ｉｓ」として破線ボックスにおいて示される電流検知機能により実施されてよく、従って、過電流回路３１０等の別個の構成要素は省略されてよい点に留意されたい。かかる実施において、コンバータは、現在の電流レベルを示す信号をコントローラに供給してよく、あるいは、コンバータは、例えば、過電流状態に応答して、割込等の別の適切な信号を供給してよい。幾つかに実施形態において、電流モニタリングは用いられないことがある。
【００２０】
接続検出回路３５０は、図示されるように結合されている抵抗Ｒ２、比較器３５２、デバウンス（debounce）回路３５３、検出モード回路３５４、ＲＳフリップフロップ３５５、及び論理ゲート３５６〜３５８を有する。５ボルト供給がＨＰＳピンでデバイス３０２へ供給される場合に、供給電圧は抵抗Ｒ２及びＲ１の両端で下げられる。これは、ＨＰＤピンでの電圧をより小さくする。ＨＰＤピンでの電圧レベルは、Ｒ１＋Ｒ２に対するＲ１の比を電源（５ボルト）に乗じた積に対応する。例えば、Ｒ２がＲ１に等しいならば、デバイスが装置に接続される場合に、２．５ボルトがＨＰＤピンに現れる。ＨＰＤピンでのレベルは、比較器３５２によって、反転入力部にある閾値（本例では、１．２２５ボルト）と比較される。ＨＰＤピンが（反転入力部の閾レベルよりも大きい）十分なレベルを有する場合は、比較器はアサートする（例えば、ハイ）。
【００２１】
デバウンス回路３５３は、従来のデバウンス・フィルタリングを行う。そのデバウンス・タイミング・ウィンドウは設定レジスタ３３２によって設定されてよい。例えば、表されている実施形態のように、デバウンス・タイミング・ウィンドウが４つの利用可能なオプションのうちの１つ（例えば、０、１０、２０又は３０ミリ秒）に設定されることを可能にするために、２ビットが使用されてよい。比較器からのアサーション（ハイ）がデバウンス・タイミング・ウィンドウを越えて保たれる場合、デバウンスブロック３５３は、検出モード回路３５４の入力部でアサートする（例えば、ハイ）。検出モード回路３５４（線は図示されていないが、例えば、設定レジスタを通じて設定されてもよい。）は、正から負又は負から正への遷移がデバウンスブロック３５３から検出されることを可能にする。適切な遷移がデバウンス回路３５３から検出される場合、フリップフロップ３５５がセットする。これは、その出力からハイをアサートさせ、（例えば、コントローラ３３０からの）ＭＡＳＫ信号がアクティブであるとすると、ＡＮＤゲート３５７にアサートさせる（ハイ）。これは、３５７及び３５８の出力をアサートさせ、割込生成ブロック３４０に（Ｃ＿ＩＮＴ入力部で）コントローラ３３０への割込を生成させる。この表されている実施形態において、割込発生器３４０は、（例えば、プラグで接続されるＵＳＢ接続又は利用可能な無線ネットワークリンク等の他の周辺リンク又は接続を検出するよう）異なる装置システム機能ユニットから複数の異なる割込信号を受信するＮＯＲゲート３４２（又は同等のもの）を有する。従って、表されている実施形態において、コントローラは、接続検出回路３５０がアサートしていることを決定又は確認し、ＨＤＭＩ接続が起こったことを示すよう、更に、接続検出ブロック３５０へ結合される（図示せず。）。決定されると、コントローラは、ＡＮＤゲート３５６にある「Ｒｅｓｅｔ」入力を介してラッチ３５５をリセットする。
【００２２】
制御ロジック（３３２〜３３８）は、図示されるように結合されている設定レジスタ３３２、論理ゲート３３３〜３３６、及びタイミング制御回路３３８を有する。表されている実施形態において、設定レジスタ３３２は、供給オン及びオフ時間を定義するために使用される４ビット（例えば、４つのオン時間オプション用の２ビット及び４つのオフ時間オプション用の２ビット）と、ＡＮＤゲート３３３により供給を有効／無効にするようＡＮＤゲート３３３に供給されるイネーブルビットと、デバウンス・タイミング・ウィンドウを選択するデバウンス回路３５３のための２ビットとを有する８ビットレジスタである。上述されるように、他のビットは、検出モード回路３５４を設定するために使用されてよい。
【００２３】
動作において、レジスタ３３２が（そのＡＮＤゲート３３３への直接ビットリンクを介して）接続検出を有効にするとすれば、時間制御ブロック３３８は、ＡＮＤゲート３３３にアサートさせて、設定レジスタ３３２によって定義されるオン時間にＭＯＳスイッチＰ１をオンし、次いで、所定のオフ時間にＭＯＳスイッチＰ１をオフする。この連続パルス・パワーサイクリングは、ＨＤＭＩデバイスが接続されていると検出されるまで繰り返し、ＨＤＭＩデバイスの接続が検出されると、スイッチＰ１は、ＨＰＳピンで安定した一貫性のある５ボルトＤＣ供給をＨＤＭＩデバイス３０２へ供給するよう、オンにラッチされる。（オン／オフ・パワーサイクリングは、また、過電流回路によって非アクティブにされる場合に、又は別なふうにＡＮＤゲート３３６を通じてコントローラ３３０によって無効にされる場合に、終了してよい。）。ＨＤＭＩデバイスが接続され（、比較器３５２がアサートす）る場合、スイッチ（Ｐ１）は、比較器３５２の出力がＯＲゲート３３４にも接続されているために、本質的にオンにラッチされる。同時に、インバータ３３５は、ＡＮＤゲート３３６の出力によって有効／無効にされ、それにより、過電流回路３１０及びコントローラ３３０は、比較器３５２がＯＲゲート３３４をアサートしている場合でさえスイッチをオフすることができる点に留意されたい。幾つかの実施形態において、パワーサイクリングのオフ時間の間、一部又は全ての接続検出回路（例えば、比較器３５２）は、静止電力消費を減らすようオフされてよい。例えば、タイミング制御回路３３８が、ＨＰＳ信号と同期して接続検出回路をオン／オフするよう該接続検出回路に結合されてよい。
【００２４】
図４は、装置に接続されているＨＤＭＩデバイスを検出する回路の他の実施形態を示す。それは、本実施形態では、電力スイッチＰ１が除かれて、電流検知抵抗（Ｒｓ）により置換されている点を除いて、図３の実施と同様である。ＨＰＳピンでの供給のパワーサイクリングは、ＨＰＳ供給信号を出力するよう（オン）又は出力しないよう（オフ）ステップアップ・コンバータ３２０を制御することによって、制御される。
【００２５】
上記において、多数の具体的な詳細が記載されてきた。しかし、本発明の実施形態がこれらの具体的な詳細によらずに実施されてよいことは明らかです。他の事例において、従来の回路、構成及び技術は、記載の理解を不明りょうにしないように、詳細に示されていないことがある。この点を考慮して、「一実施形態」（又は単に「実施形態」）、「一実施例」（又は単に「実施例」）、「種々の実施形態（又は実施例）」等の言及は、そのように記載される本発明の実施形態が特定の特徴、構成、又は機能を有してよいが、必ずしも全ての実施形態がその特定の特徴、構成、又は機能を有する分けではないことを示す。更に、幾つかの実施形態は、他の実施形態に関して記載される特徴の一部又は全てを有しても、あるいは、それらの特徴を全く有さなくてもよい。
【００２６】
上記及び添付の特許請求の範囲において、次の語は下記のように解されるべきである。すなわち、語「結合される」及び「接続される」は、それらの派生語とともに、使用されることがある。当然、これらの語は、互いに同義語として意図されていない。むしろ、特定の実施形態において、「接続される」は、２又はそれ以上の要素が互いと直接に物理的又は電気的な接触を有していることを示すために使用される。「結合される」は、２又はそれ以上の要素が互いと協働し又は相関するが、それらは、直接に物理的又は電気的な接触を有しても有さなくてもよいことを示すために使用される。
【００２７】
語「ＰＭＯＳトランジスタ」は、Ｐ形の金属酸化膜半導体電界効果トランジスタを表す。同様に、語「ＮＭＯＳトランジスタ」は、Ｎ形の金属酸化膜半導体電界効果トランジスタを表す。当然、語「ＭＯＳトランジスタ」、「ＮＭＯＳトランジスタ」又は「ＰＭＯＳトランジスタ」が使用される場合は、それらの使用の性質上、別なふうに明示的に示されない限り、それらは典型的な方法で使用されている。それらは、少し記述するだけでも、異なるＶＴ、金属タイプ、絶縁体厚さ、ゲート構成を持ったデバイスを含む様々なＭＯＳデバイスを包含する。更に、具体的にＭＯＳ又は同様のものに言及されない限り、語「トランジスタ」には、他の適切なトランジスタイプ、例えば、接合型電界効果トランジスタ、バイポーラ接合型トランジスタ、金属半導体ＦＥＴ、及び様々なタイプの３次元トランジスタ、ＭＯＳ、あるいは、今日知られている又は未だ開発されていない別のものが含まれうる。
【００２８】
本発明は、記載される実施形態に限られず、添付の特許請求の範囲の精神及び適用範囲にある変形及び代替を有して実施されてよい。例えば、本発明は、全てのタイプの半導体集積回路（ＩＣ）チップとともに使用されるのに適していることは言うまでもない。これらのＩＣチップの例には、プロセッサ、コントローラ、チップセット構成要素、プログラム可能ロジックアレイ（ＰＬＡ）、メモリチップ、ネットワークチップ等が含まれるが、これらに限られない。
【００２９】
また、当然に、図面の一部において、信号線は直線により表されている。一部の直線は、更なる構成信号経路を示すよう太くされ、構成信号経路の数を示すよう数字ラベルを有し、且つ／あるいは、一次情報フロー方向を示すよう１以上の端部に矢印を有してよい。しかし、これは、限定的に解釈されるべきではない。むしろ、このような付加的な詳細は、回路のより容易な理解を助けるよう、１又はそれ以上の実施例に関連して使用されてよい。表されている如何なる信号線も、付加的な情報を有していようとなかろうと、実際に、複数の方向において移動することができ且つ何らかの適切なタイプの信号方式（例えば、差動対により実施されるデジタル若しくはアナログ線、光ファイバ線、及び／又はシングルエンド線）で実施され得る１以上の信号を有してよい。
【００３０】
例となるサイズ／モデル／値／範囲が与えられているが、本発明はこれらに限られないことは言うまでもない。製造技術（例えば、フォトリソグラフィ）は時間とともに成熟するので、よりサイズが小さいデバイスが製造され得ると期待される。更に、ＩＣチップ及び他の構成要素への従来の電力／接地接続は、例示及び議論の簡単のために、且つ、本発明を不明りょうとしないように、図面内に図示されていないことがある。更に、配置は、ブロック図において、本発明を不明りょうとすることを回避するために、また、このようなブロック図配置の実施に関する詳細が、本発明が実施されるべきプラットフォームに大いに依存する、すなわち、このような詳細が適切に当業者の視野範囲内にあるという事実を鑑み、図示されてよい。具体的な詳細（例えば、回路）が本発明の実施例を記載するために挙げられている場合に、当業者には明らかなように、本発明は、かかる具体的な詳細によらずに、又はその変形により、実施されてよい。このように、本記載は、限定ではなく、例示とみなされるべきである。
【符号の説明】
【００３１】
１０２，３０２  ＨＤＭＩデバイス
１０４，３０４  ＨＤＭＩケーブル
１０６，３０６  ＨＤＭＩポート
２０５，３０５  電子装置
２０７  電源（５ボルト供給）
２０８  接続検出回路
２１０  制御ユニット
３１０  過電流モニタ部
３１１，３５２  比較器
３２０  ステップアップ・コンバータ
３２５  バッテリ
３３０  システム管理コントローラ
３３２  設定レジスタ
３４０  割込回路
３５０  接続検出回路
Ｐ１    電力スイッチ
【図１】
2011239386.tif 000003
【図２】
2011239386.tif 000004
【図３】
2011239386.tif 000005
【図４】
2011239386.tif 000006